(57)【要約】  この発明は、特に、時間計測器を作動又は作動停止のいずれかを行なうための第１制御部材(Ｓ)により動作可能な制御レバー(17)を含む、時間計測のためのクロノグラフの時計のムーブメントに関する。この発明のクロノグラフ時計のムーブメントはまた、制御レバーに与えられた動作に応答して秒タイマーを駆動又は駆動しないためのクラッチ手段(28,29,65,68)と、前記制御レバーに与えられた動作に応答して秒タイマーを固定するための選択固定手段(28,29,65,68)を含む。秒タイマーをゼロにリセットするためのレバー(2)及びハンマー(4)もまた、備える。時計のムーブメントは、時間を計測するときに、秒タイマーが再度設定されたか否かにより、使用者が如何なる相違も感じないように配置される。さらに、前記時計のムーブメントは、レバー(2)を制御する外部リセット装置(Ｒ)がその休止位置に解放されるまで、秒タイマーの始動を実質的に遅らせて時間計測を始動可能にする構造を備える。【選択図】          図２
2009517644.tif 000002
【特許請求の範囲】
【請求項１】
調速輪列、
計測された秒をアナログ表示するための機関(13)を支持するように設計されたクロノグラフ秒可動物(51)を含む少なくとも１つの秒カウンタ、
時間計測を作動又は作動停止のいずれかをするために第１制御部材(Ｓ)によって動かされるように設計された制御レバー(17)、
前記制御レバーへの動作に応答して、前記秒可動物を前記調速輪列に接続又は非接続にするための結合手段(28,29,65,68)、
前記制御レバー(17)への動作に応答して、前記秒カウンタを固定するための選択固定手段(28,29,65,68)、及び
少なくとも第１の固定位置と第２の可動位置との間を、第２制御機関(Ｒ)によって動かされるように設計された、少なくとも１つの可動リセット要素(4)を含む、前記秒カウンタのためのリセット手段(2,4)を含み、前記可動リセット要素は、前記第２の位置で前記秒カウンタに作動するように配置されて成る、時間を計測するためのクロノグラフ機能を有する時計のムーブメントであって、
少なくとも間接的に前記リセット手段に戻り力(Ｆ１)をかけている弾性手段を含み、前記固定位置から前記可動位置への前記可動リセット要素(４)の動きは、もっぱら前記第２制御部材(Ｒ)によって制御され、前記可動位置から前記固定位置への動きは、前記弾性手段によって制御され、
前記秒カウンタは、前記可動リセット要素の前記可動位置からの解放だけに応答して実質的に始動するように、前記制御レバー(17)は、前記可動リセット要素(４)が前記可動位置にあるときに動作可能であることを特徴とする時計のムーブメント。
【請求項２】
少なくとも第１の状態及び第２状態といった異なる状態を有することのできる回転制御要素(25)を含み、１つの状態からもう一方の状態への移動は、前記制御レバー(17)の動作に応答して生じ、前記回転制御要素は少なくとも間接的に、
前記第１の状態で結合し、前記第２の状態で非結合になるような前記結合手段(28,29,65,68)と、
前記第１の状態で固定し、前記第２の状態で可動するような前記固定手段(28,29,65,68)と
に接続されることを特徴とする請求項１に記載の時計のムーブメント。
【請求項３】
前記回転制御要素は七つ車(25)であることを特徴とする請求項２に記載の時計のムーブメント。
【請求項４】
前記結合手段(28,29,65,68)は、前記固定手段としての機能も果たすことを特徴とする請求項２又は３に記載の時計のムーブメント。
【請求項５】
前記結合手段(28,29,65,68)はまた、前記秒カウンタに配置され、かつ前記回転制御要素(25)の状態に依存してクランプ同士の間隔が異なる一対のクランプ(28,29)で動かされる軸カップリングを含むことを特徴とする請求項４に記載の時計のムーブメント。
【請求項６】
前記秒可動物は、前記調速輪列の要素(62)と恒久的に噛合う秒歯車(61)が配置されている段部(60)を含み、前記秒歯車(61)は、前記秒可動物(51)に対して自由に回転可能であり、環状部(68)は前記秒歯車に同軸に搭載され、前記秒可動物と一体となったバネ(65)は、前記クランプ(28,29)同士の間隔に依存して、前記秒歯車(61)に前記環状部(68)を押圧する圧力をかけるように、前記環状部に対して当接配置され、前記秒歯車自体が、摩擦により前記秒歯車から前記秒可動物(51)を駆動させるように、前記段部(60)に圧力をかけることを特徴とする請求項５に記載の時計のムーブメント。
【請求項７】
前記回転制御要素(25)が前記第１の状態にあるとき、前記第１の固定位置で前記可動リセット要素(4)を固定するために配置された固定連結要素(37)をさらに含むことを特徴とする請求項２に記載の時計のムーブメント。
【請求項８】
前記固定連結要素(37)は、結合手段のクランプ(28)のうちの１つと接触するように配置された第１端部(39)を有することを特徴とする請求項７に記載の時計のムーブメント。
【請求項９】
前記固定連結要素(37)は、前記リセット手段(2,4)の領域に配置された第２端部を有することを特徴とする請求項８に記載の時計のムーブメント。
【請求項１０】
前記請求項のうちのいずれか一項に記載のムーブメントを備えて成るクロノグラフ機能を有するタイムピース。
【発明の詳細な説明】
【技術分野】
【０００１】
この発明は、調速輪列と、秒を計測するためのアナログ表示機関を支持するように設計されたクロノグラフの秒可動物を含む少なくとも１つの秒カウンタと、時間計測を作動又は作動停止のいずれかをするために第１制御部材によって動くように設計された制御レバーとを含む時間計測のためのクロノグラフのムーブメントに関する。
【０００２】
既知の態様で、このクロノグラフのムーブメントは、制御レバーに対する動作に応答して秒歯車を調速輪列に接続し又は接続を解除するための結合手段と、制御レバーに対する動作に応答して秒カウンタを固定するための選択固定手段とを含む。
【０００３】
さらに、秒カウンタのためのリセット手段もまた設けられ、これらのリセット手段は、少なくとも第１の固定位置と第２の可動位置との間を、第２制御部材によって動くように設計された少なくとも１つの可動リセット要素を含み、可動リセット要素は、第２の可動位置で秒カウンタに作用するように構成されている。
【０００４】
さらに詳細には、可動リセット要素は、ハンマーの形状に通常形成され、秒カウンタと一体であるハート形状のカムと協働する。
【背景技術】
【０００５】
上記定義に対応する多くのクロノグラフのムーブメントが従来から知られている。
【０００６】
伝統的に、クロノグラフのムーブメントは、外部制御部材への衝撃で動かされ、かつ時間計測を作動又は作動停止するための回転制御要素に作動する制御レバーを含む。
【０００７】
同様に、リセットハンマーは、外部リセット押圧部品に一定の動作が与えられると、対応するハート部と接触するように動作する。リセットハンマーはこのときその固定位置でハート部に当接したままであり、クロノグラフを新たに未固定にすることは、計測された時間を示す針をその最初の位置に維持するために定められていない。従って、表示針を解放するために、持ち上げられた位置又は装備位置にハンマーを戻すことは、その主要な目的が時間計測を開始することである制御レバーに対する動作によって行われる。実際に、２つのレベルのカム又はコラムホイール型の回転制御要素は、持ち上げられた位置にハンマーを戻すために、ハンマーの一部と接触し、かつその回転を駆動する突出領域を通常有する。この回転動作は、時間計測が実行されていないときにハンマーの一部に当接するように配置されたバネの圧力がハート部に対する強固な維持を超えているときに、なされる。
【０００８】
しかし、これらの伝統的なクロノグラフのムーブメントは、改良されていない面がある。これらのうちの１つには、外部リセット部材がその押し込められた位置に維持されるとき、リセットレバーをその装備位置に持ち上げることが不可能であるという事実にある。その結果、リセット押圧部品が押し込められている間、ハンマーと上述した回転制御要素との間の機械的接続のために、回転制御要素の回転は、不可能である。従って、制御レバーを動かす外部制御部材は動かず、作動不可能である。この結果は、外部制御部材の操作は、連続して行うことができるのみであり、使用者が及ぼす圧力は従来のノッチ（notching）を設けることによって有効になるということである。
【０００９】
さらに、制御レバーを作動することよって時間計測を最初に開始するときには、時間計測機構自体を作動するのに加えて、ハンマーをより低く保つように働いているバネの力を克服するための追加の作動力が要求される。従って、使用者がある瞬間に時間計測を止めて、カウンタを前もってゼロに戻すことなく再度開始するとき、使用者が制御部材を押圧するときに受ける感覚は、最初の開始のときに受ける感覚とは異なる。この形態では、実際にハンマーはカウンタをゼロに戻すために解放されていず、時間計測機構を再度開始するためにその支持バネの力を克服する必要がない。
【発明の開示】
【００１０】
（発明の簡単な説明）
この発明は、特に、時間計測を動作可能にする構造を有し、かつ外部リセット機構がその固定位置に解除される前に、計測された時間単位のカウンタをその最初の位置に維持するクロノグラフのムーブメントを提案することによって従来技術の上述した欠点を補うことを目的とする。従って、この発明によるクロノグラフのムーブメントが設けられている時計の使用者が、リセット押圧部品を解除するときに、時間計測が事実上開始される。この型の特長は、使用者による計測の開始が益々正確になることであり、なぜなら従来から知られているムーブメントの場合のように、この使用者はノッチを超えるのに必要とされる最小限の力を与えることがないからである。
【００１１】
この発明のさらなる目的は、時間計測を動作させるときのクロノグラフの使用者が受ける感覚を改善することである。特に、この発明の目的の１つは、計測された時間単位のカウンタが前もってゼロに戻されているか否かによって、使用者が時間計測の動作に対していかなる違和感もないクロノグラフのムーブメントを提案することである。このタイプの目的は、特に可動リセット要素が固定位置を有し、そこではクロノグラフカウンタと接触して配置されず、かつ七つ車に結合しないという事実のおかげで達成される。
【００１２】
この目的を達成するために、この発明は、上記の型のクロノグラフのムーブメントに関し、それはリセット手段に戻り力を与える弾性手段を含むという事実によって、及び固定位置から可動位置へは第２の制御部材によって、及び可動位置から固定位置へは弾性手段によって可動リセット要素の動きはもっぱら制御されるという事実によって特徴付けられる。
【００１３】
この発明の他の特徴及び利点は、限定されない例として与えられる添付図面に関してなされた、以下のある好ましい実施形態における詳細な説明を読むことによりさらに明確になるだろう。
【００１４】
（発明の詳細な説明）
この発明によるタイムピースクロノグラフ時計のムーブメントは、伝統的な型のアナログ表示（図示せず。）を有するクロノグラフ時計に配置されるように設計される。
【００１５】
この型の時計は、特に計測された時間単位、通常秒を表示するための少なくとも１つの機関を含む。図示され、本願明細書に記載されているような好ましい実施形態では、時計のムーブメントは、計測された秒の表示機構を駆動させるための秒カウンタに加えて、従来から知られているように、計測された分の表示機構を駆動させるための分カウンタを含む。
【００１６】
図１及び２は、クロノグラフ機能を作動又は作動停止する間に、又は秒カウンタ及び分カウンタがゼロに戻る間に関与する、この発明による時計のムーブメントにおける部品要素の単純化した図である。明確性への配慮からこの発明を良く理解するのに不可欠である、時計のムーブメントの要素が主として示されている。
【００１７】
また、以下の説明では、特定の部品の位置を時に関して定義することがある。この部品の位置は、針が時を表示する従来技術の文字盤上で占める位置に対応する。
【００１８】
図１及び２では、このムーブメントの地板１の外周部分は、対応するタイムピースの外部制御部材（図示せず。）と協働するように設計された領域に示されている。リセットレバー２は、図において参照符号Ｒの軸線で示された外部リセット制御部材によって作動される。より詳細には、レバー２は、地板１と軸支旋回型接続を有し、その結果外部制御部材に与えられる圧力に応答して地板に対して回転動作をする。この軸支旋回型接続は、対応する寸法を有する地板の孔（図示せず。）に圧入可能な、軸又は支柱３によって与えられる。
【００１９】
設定部材又は巻真（図示せず。）の位置は、参照符号Ｔの軸線で示されている。同様に、別の制御部材の位置は、参照符号Ｓの軸線で示され、この制御部材はクロノグラフ機能を作動又は作動停止するように設計されている。本発明を制限しない情報として、時計のムーブメントを搭載してタイムピースを組立てる場合には、軸Ｒは４時の位置に、軸Ｔは３時の位置に、そして軸Ｓは２時の位置に合わせる。
【００２０】
リセットハンマー４は、外部リセット制御部材への動作に応答して動くように、その基部５でリセットレバー２と一体となって搭載される。
【００２１】
ハンマー４の動きの特徴はこの発明に直接的には関係せず、この発明の実施に適応するいかなるタイプのものであっても良い。このように、この実施形態では、リセットハンマー４のように時計のムーブメントの地板１に関して軸支回動できるように、レバー２は配置される。特に、図１でハンマー４の基部５は、支柱３に配置された孔６を有し、この支柱はこれによってハンマー４の回転軸を構成する。
【００２２】
レバー２とハンマー４とは、この発明の範囲を逸脱せずに、リセットレバー２からハンマー４へ回転の伝達を確実にすることのできる、あらゆる適当な手段を使用して一体に形成されることができる。
【００２３】
この発明の好ましい一実施形態によると、図１に示されるように、リセットレバー２は、ハンマーの基部５に重ね合わせて配置されたレバー２の領域に設けられた孔（参照されない。）に圧入されたピン７が提供される。基部５はまたピン７を収容するのに適合した孔を有し、それによって回転動作中にリセットレバー２をハンマー４と一体にさせる。
【００２４】
リセットレバー２は、支柱３から離れた位置に補助ピン８を有し、補助ピンは力を及ぼすバネ（図示せず。）の端部を支持するように設計され、図２ではＦ１で参照される矢印で示され、レバー２上でこの力は、その固定位置に、すなわち図１の太線で示された位置にレバーを維持しようとする。従来からこのようなバネに設けられているノッチをこのバネに設けて、リセット制御の動作をすばやくするのが好ましい。
【００２５】
ハンマー４は、特に限定されないが図に示された実施形態において合計２つの支持表面９及び１０を備え、クロノグラフカウンタがゼロに戻されるときハート部１１及び１２に接触するように動くように設計されている。
【００２６】
ハート部１１及び１２は、それらが従来からのものであり当業者にとって特に困難を与えるものではない範囲で図示された。ハート部は各々測定された時間単位を示す針を支持するカウンタ可動物（明確さを考慮して図１及び２には示されていない。）に搭載される。
【００２７】
従って、計測秒を表示する針１３と計測分を表示する針１４とが、図に示されている。針１３と１４とは、図１にその最初の位置が示され、これはクロノグラフ機能がゼロに戻されたあとの停止状態に一致する。ハンマー４は、持ち上げられた位置のとき実線で示され、このとき回転軸１５及び１６それぞれに対して、クロノグラフのハート部１１，１２が回転できるようになる。我々は、レバー２がクロノグラフカウンタをゼロに戻すように作動し、ハート部１１及び１２が図１のように方向付けられているときのハンマーを、参照符号４Ａを付した細線で示している。
【００２８】
計測秒可動物は、一般に、時計のムーブメントの中心に配置され、計測秒の表示は、クロノグラフ文字盤の中心に設置された大型秒針によってなされる。図に示された実施形態に一致する場合には、回転軸１５はムーブメントのものと併合される。
【００２９】
我々は、また時間計測を開始又は停止するように設計された制御装置を図１に示している。
【００３０】
特にこの発明による時計のムーブメントの制御装置は、地板１の外周部に面して、２時と６時の位置の間で実質的に延在している制御レバー１７を含む。制御レバー１７の一般的な製品は従来からのものである。
【００３１】
２時の位置に配置されている制御レバーの第１端部は、ムーブメントがタイムピースのケースに収納されているとき、外部制御部材に対向して配置される。
【００３２】
制御レバーの第２端部１９は、従来から公知の型の操作レバー掛け爪２０を支持している。図示され、本願明細書に記載されている好ましい形態によると、制御装置は、複数のねじ２２を使用して制御レバー１７と一体に形成された小板２１を含む。小板２１は、前記制御レバーの大部分、具体的には、３時の位置から第２端部１９に亘って前記制御部材と重なるような形状をしている。複数のねじ２２のうちの１つは、制御レバーの第２端部１９の位置に取り付けられ、操作レバー掛け爪２０に設けられた適当な孔（図では見えない。）を貫通し、このねじ２２の軸を中心として小さな角度で自由に回動しつつ、操作レバー掛け爪を制御レバー１７と小板２１との両方と一体にする。
【００３３】
好ましくは、１つ又はいくつかの何もない空間が制御レバー１７と小板２１との間に設けられる。特に、何もない空間は、リセットハンマー４の基部５の領域に設けられ、前記ハンマーは、制御レバー１７と小板２１との間に挿入される。このタイプの構造的な特長によると、ハンマーの基部５を制御要素によって定義される２つの平面部の間に好適に押し込むことができる。ハンマーの末端部、すなわち支持表面９及び１０を有している部分がクロノグラフバーの適当な支持表面にある。
【００３４】
さらに、制御レバー１７は、リセットレバー２とハンマー４の各回動点として配置された回動点を有するのが好ましい。従って、支柱３は、制御レバー１７の適当な孔（図では見えない。）の内側に延在し、好ましくは、小板２１に類似した孔２３の内側に延在する。
【００３５】
この部品構成において、リセットレバー２とハンマー４との間に、そこで制御レバー１７が自由に動くのに十分な空間が設けられなければならないことに注意されたい。さらに、制御レバー１７は、リセットレバーとハンマーとを結合しているピン７が、動作中に動けるように、図１では点線で示されている対応窪地２４を有する。
【００３６】
軸Ｓに沿った制御部材の伝達を介して制御レバー１７を作動すると、七つ車２５の形状でここに示された回転制御要素に作動する操作レバー掛け爪２０が動くようになる。
【００３７】
七つ車２５はつめ車２６とつめ車２６と一体となったコラム（柱）２７とを備え、つめ車に接触して操作レバー掛け爪２０が作動し、コラムの本数がつめ車の歯数の半分に等しいと好ましい。従って、制御レバー１７に及ぼされる各圧力に応答して、七つ車２５は反時計回りに１／２ピッチづつ回転する。なお、１ピッチは１つのコラム２７と隣のコラムとの間の角度である。七つ車ジャンパー（図示せず。）が、従来からつめ車の歯をその各位置に固定するために配置され、つめ車の隣接する２つの歯の位置は１／２ピッチ分の角度で離れている。
【００３８】
コラム２７は、この発明によるムーブメントにおける多数の部品要素と協働し、これらの部品要素については、地板１に関する七つ車２５の角度状態に依存していることが以下に詳細に記載されるであろう。
【００３９】
ハンマー４が、七つ車２５とは直接的な機械的接続を全く有しないことに、注意されたい。上述したように、このような特徴によりクロノグラフ機能の最初の始動と途中でリセットせずに最初の計測間隔に続いて始動することとの間で受ける感覚の違いを除去するという結果になる。
【００４０】
勿論、この発明によるタイムピースにおけるムーブメントは、回転制御要素としての七つ車に限定されず、代わりに従来のカムを使用することもできる。
【００４１】
図２は、クロノグラフのムーブメントにおける七つ車２５の主要な役割を示している。
【００４２】
ムーブメントは、この従来から既に知られている構造を有する軸型カップリングを含む。軸カップリングは、図３の詳細な記述から明らかなように、秒カウンタに同時に作動するように配置された、一対のカップリングクランプ２８及び２９を含む。
【００４３】
それぞれのクランプ２８，２９は、地板１と一体となった支柱３０，３１に回転可能に搭載され、支柱に近接する第１端部３２，３３を含み、第１端部はもう一方のクランプの第１端部に当接して配置される。それぞれのクランプ２８，２９は、秒カウンタを連結又は非連結の状態にさせるように設計された傾斜支持表面３４，３５を有する第２端部を含む。
【００４４】
クランプバネ（図示せず。）は、クランプ２９の第１端部３３に当接して配置され、この力は、図２において矢印で示されたＦ２によって図示されており、前記クランプ２９をもう一方のクランプ２８の第１端部３２の方向に押すのに役立っている。このように、力Ｆ２は、秒カウンタを解放するために、第２の端部３４及び３５の各側面を互いに離すようにクランプ２８，２９の距離をおき、図２における秒カウンタの位置は、その軸１５で図示されている。
【００４５】
クランプ２８は、七つ車２５の方向に向けられた側面突出部を形成するように延在している部分３６を含む。クランプ２８，２９は、図２において近接した位置が普通線で示され、離れた位置が細線で示されている。
【００４６】
図２に示された七つ車２５の形態において、クランプ２８の側面突出部３６は、七つ車のコラム２７に当接して配置される。コラム２７は、クランプ２８の土手の役割を果たし、クランプ２８，２９を相対的に近接した位置に維持することになる。
【００４７】
同様に、制御レバー１７が動作するとき、七つ車２５が、図２で示される方向に１／２ピッチ分回転駆動されることが理解できる。側面突出部３６を横切っていないときに、コラムは回転駆動される。側面突出部３６の土手が一旦取り除かれると、クランプ２９の第１端部３３に対してカップリングバネによってかけられる圧力Ｆ２の影響で、クランプ２８はクランプ２９から離れることができる。クランプ２８，２９におけるこの離れた位置は、図２の細線で示されている。
【００４８】
当業者であれば、本発明の範囲を逸脱することなく、これらのクランプが互いに離れているときに、クランプ２８及び２９の回転角度を限定するのに適した既知の手段を提供することができるだろう。
【００４９】
好ましくは、地板１と一体となった支柱３８に回転可能に搭載された連結要素３７が付加的に設けられる。連結要素３７の第１端部は、クランプ２８に当接して配置され、連結要素の第２端部４０はリセットレバー２の自由端に近接している。
【００５０】
クランプ２８が、クランプ２９から離れているか近づいているかにより、連結要素３７もまた２つの極限位置を有し、図２においてクランプ２８の近づいている位置に対応する位置が普通線で示され、クランプ２８の離れている位置に対応する位置が細線で示されている。
【００５１】
図示されていないバネが、第１端部３９とクランプ２８との間の接触を維持させる圧力Ｆ３を連結要素３７にかけるために、本発明によるムーブメントに配置されることに注意されたい。
【００５２】
クランプ２８が、クランプ２９から離れた位置にあるとき、連結要素３７の第２端部４０は、リセットレバー２の自由端に対向して配置される。連結要素３７のこの位置において、リセットレバー２は作動不可能であり、その結果として、ムーブメントのリセット機構の始動は、この位置では不可能であることは、図２から明らかである。
【００５３】
逆に、リセットレバー２が押されると、この例ではクランプ２８と２９との距離を直ちに離すような回転はなく、制御レバー１７を作動することにより七つ車２５を回転させることは可能であることが分かる。実際に、この場合、クランプバネの圧力Ｆ２を受けているにもかかわらず、クランプ２８に対する連結要素３７の第１端部３９の作用下において、クランプ２８と２９とは、近づいたままであり、連結要素自体がリセットレバー２の自由端によって第２端部４０を固定されている。クランプ２８，２９の距離は、クランプ２９の第１端部３３に当接するクランプバネの圧力Ｆ２に起因して、リセットレバー２を解放して連結要素３７を回転させることによってのみ離すことができる。
【００５４】
タイムピースのムーブメントを使用する時間計測器の作動及び作動停止と、クランプ２８，２９と秒カウンタとの間の関係が、図３に基づいて説明される。
【００５５】
図３は、本発明によるクロノグラフのムーブメントの中心部における、図２の線分III−IIIの部分横断面図を示している。
【００５６】
秒カウンタは、地板１とクロノグラフバー５０との間のクロノグラフムーブメントに配置される。この目的のために、クロノグラフの秒可動物は、２つの石５２及び５３で上記に規定された回転軸１５に同軸である心棒５１によってムーブメントに設置され、石のうちの１つは、地板に圧入されもう一方の石はクロノグラフバーに圧入されている。
【００５７】
クロノグラフバー５０から心棒５１に沿って進むと、図３には、石５３に収納された第１端部５４が示され、次いで心棒５１の第１円筒部５５が示され、最後に第１肩部５６が示されている。これに続いて第１円筒部５５よりも大きい直径を有する第２円筒部５７となり、第２肩部５８で終わっている。第３円筒部５９が、肩部５８から続き、２つの円筒部５５及び５７よりも直径及び長さが小さい。第３円筒部５９は、心棒５１と一体となった円盤形状段部６０で通常終わっている。段部６０に続けて、石５２に嵌合された支軸を形成する前に、心棒５１の直径は狭くなり、心棒は文字盤上に計測秒を示す針を支持するように設計された秒自由端（図示せず。）に延在する。
【００５８】
従来から、地板１とクロノグラフバー５０との間に配置する前に、多数の要素が心棒５１に配置される。
【００５９】
心棒５１における地板側から、秒可動歯車６１が心棒５１の第３円筒部５９の周りに配置され、段部６０の環状隆起部６３に支えられているのが分かる。歯車６１は、心棒５１に対して自由に回転できるように搭載されている。
【００６０】
歯車６１はまた、ムーブメントの調速輪列の要素６２と恒久的に嵌合されるように配置され、調速輪列は図３に一部だけ示されている。調速輪列の要素６２は、本発明の範囲を逸脱することなく、別の既知の変形例に応じてムーブメントの異なる部分に対応させることができ、例えば、クロノグラフを駆動する歯車は、調速輪列の秒可動物と又はガンギ車と直接に一体となっても良い。従って、秒歯車を回転するための所望のリズムに一致している、歯車６１を駆動するのに適合した手段が提供されるべきである。
【００６１】
ブッシュ６４は、心棒５１に圧着し、第２肩部５８に対して隣接して配置され、特に心棒５１の長手方向に対して多少の遊びをもって歯車６１が割り込めるようになっている。
【００６２】
ブッシュ６４はまた、円形の中心開口部を有するバネ６５を支持し、バネはブッシュにおける歯車６１とは反対側の端部にある適合凹部６６に堅く嵌め込まれている。ブッシュ６４とバネ６５とは互いに一体になっている。
【００６３】
好ましくは、そして既知の形態で、バネ６５は、初期応力の影響で地板１の方向に湾曲している複数の放射状腕部６７を有する。
【００６４】
環状部６８はまた、ブッシュ６４の周りに自由に取り付けられる。環状部６８は第１管状部６９を含み、その一端は、歯車６１の平面に実質的に平行な平面である環状面７０の形状に形成された第２の部分に延在する。環状面７０の直径は、実質的にバネ６５の腕部６７の長さに等しい。環状面７０は、初期応力が与えられた腕部６７を支える環状ボス７１をその外周部に有する。
【００６５】
管状部６９における歯車６１側のもう一方の端部は、段部６０の環状隆起部６３と実質的に対面して配置された環状支持表面７２を有する。
【００６６】
従って、環状面７０にバネ６５によってかけられた圧力の影響で環状部６８が歯車６１の方向に押され、歯車が一方は段部６０の環状隆起部６３に他方は環状部６８の支持表面７２に圧縮されることが分かるだろう。
【００６７】
バネ６５、環状部６８、歯車６１及び環状隆起部６３の機械的特徴は、歯車６１と心棒５１とが一体に回転するように固定されるとき、環状部６８に対するバネ６５の圧力が十分に満たされるように、当業者にとって特に困難なく、ムーブメントの製造中に調整される。図３では、このような環状部６８が固定された状態が破線で示されている。本発明によるムーブメントがタイムピースで実行されるとき、このような状態は、心棒５１によって支持されている秒を計測する針が回転駆動される間であって、時間間隔を測定する一定の期間に一致する。
【００６８】
クランプ２８及び２９の各端部は、図３に図示されており、特に、傾斜支持面３４及び３５が、環状部６８の両側に見える。クランプ２８，２９は、実線で近接位置が示されており、破線で離れた位置が示されており、離れた位置は、上述したように、環状部６８が固定された位置に相当する。
【００６９】
クランプ２８，２９が離れると、それらは環状部６８と接触することはなく、この環状部は歯車６１に圧力をかけていることが、この型の説明図から分かる。逆に、環状面７０の外周部は、クランプが離れた位置から近接位置に移動するとき、クランプの傾斜支持面３４，３５と協働するように設計された面取り部７３を有する。この型のムーブメントでは、支持表面３４及び３５は、環状面７０の下で横滑りし、バネ６５の圧力に対抗する力を環状部６８にかけることにより、段部６０から環状部６８を離している。段部６０から環状部が離れていると、歯車６１は解放され、歯車は心棒５１に対して再度回転摺動可能となる。従って、調速輪列要素６２から歯車６１への駆動が、心棒５１に伝達されることはない。
【００７０】
クランプ２８及び２９が共に近づくとき、一方はクランプ２８，２９と環状面７０との間に生じる摩擦、もう一方は環状ボス７１とバネ６５の腕部６７との間に生じる摩擦が、同時に心棒５１の回転をすばやくかつ正確に止めるのに十分に働くことに注目することは重要である。勿論、クランプの形状及び制御方法も、このような結果を達成するのに貢献している。
【００７１】
さらに、心棒５１の第１肩部５６に当接するように、図１に関連して記載されている秒カウンタのリセットハート部は、第１円筒部５５に圧着される。従来からの型であって、心棒５１に対して可動物の慣性が働くときに、リセットハート部１１の寄与を調整することのできるカウンタ均衡部７４は、それがハート部に対して当接するように第１円筒部５５に圧着される。
【００７２】
また、図３に示されているように、リセットハート部１１は、既知の中間カウンタ歯車７６を駆動するように設計された指状部又はインデックス７５を支持し、前記歯車は、部分的に図示されているのみであり、図１に認められるハート部１２の分カウンタ可動物を駆動するように設計されている。
【００７３】
また、リセットハンマー４が、持ち上げられた位置又は固定位置にあるときの前記ハンマーの支持表面９を図３に示している。
【００７４】
図１〜３に基づいて、記載されているムーブメントの動作について詳述する。
【００７５】
まず、図１〜３の図面に対応する本発明によるクロノグラフムーブメントの固定された配置は、図１及び２の細線で、そして図３の実線で示される。
【００７６】
このように、リセットレバー２及びハンマー４は、固定されており、すなわち、持ち上げられた位置にあり、そしてクランプ２８の側面突出部３６は七つ車２５のコラム２７に当接配置されている。その結果、クランプ２８，２９は、近接位置にあり、環状部６８は歯車６１から離れている。前述したように、クランプ２８，２９の動きで、環状部６８がバネ６５に作用し、歯車６１と段部６０との間の摩擦力が不十分であるために、このような状態で、秒カウンタの心棒５１は、調速輪列要素６２によって駆動されない。まず、秒１３と分１４とを示す針は、そのために停止しており、時間計測器のゼロに相当する位置にある。
【００７７】
この配置から、時間計測は、従来通りに、すなわち、制御レバー１７に作用する（Ｓにおける）外部制御部材への動作によって開始されることができる。このような動作により、七つ車２５は１／２ピッチ分だけ回転し、クランプ２８及び２９が互いに距離をおくことになる。クランプが離れることにより、環状部６８は解放され、バネ６５の圧力を受けて歯車６１に圧力がかけられる。歯車は、恒久的に調速輪列要素６２によって駆動され、段部６０への強い摩擦力を介してその動きを心棒５１に伝達し、心棒は動き始める。指状部７５は、秒カウンタの回転動作を分カウンタに再伝達するように、中間カウンタ歯車７６に作動する。
【００７８】
代わって及び好ましくは、時間計測は、制御レバー１７に作用する（Ｓにおける）外部制御部材への動作よりも前に、リセットレバー２への動作によって始動される。この場合、リセットハンマー４は、リセットハート部１１及び１２に当接するように配置され、秒カウンタ及び分カウンタが回転しないようにする。しかし、上述したギアを入れるための従来の方法とは異なり、リセットレバー２を先に作動することは、図２の実線で示された位置のように、連結要素３７を固定することになる。従って、制御レバー１７に対する動作に続いて、七つ車２５が回転駆動するとき、クランプ２８の側面突出部３６はコラム２７によって拘束されることはなく、クランプ２８は、あらゆる部品があるにもかかわらず、連結要素３７の第１端部３９によって動かなくなる。同時に、クランプ２８は、その端部３２によってクランプ２９に作用し、２つのクランプは、近接位置に維持されたままとなり、秒及び分カウンタの駆動は、心棒５１に対して歯車６１が摺動することによりニュートラルになる。リセットレバー２が解放されると、連結要素３７は、再び自由になり、図２の細線で示される位置になるように、支柱３８を中心にして回転する。同時に、クランプ２８及び２９は、クランプ２８の端部３２に作用するクランプ２９へのカップリングバネの圧力Ｆ２の影響で、互いに離れる。従って、上述したように、リセットレバー２の解放により、調速輪列により駆動される歯車６１と心棒５１とは、環状部６８で結合される。
【００７９】
時間計測が実行中のときは、連結要素３７は、図２の細線で示される位置にあり、リセットレバーを固定する機能が、その第２端部４０により提供される。
【００８０】
このように、本発明によるクロノグラフのムーブメントは、外部制御部材に対して２つの異なる一連の操作を使用者が選択することにより、すなわち、Ｓにおける制御部材への押圧のみ、又はＲにおけるリセット機構への押圧を持続し、次いでＳにおける制御部材を押圧し、それからリセット機構が解放される、といういずれかの操作を使用者が選択することにより、使用者が時間計測を開始できるようになっている。
【００８１】
上述した計測状態から制御レバー１７を新たに作動させると、七つ車２５は１／２ピッチ分だけ回転し、クランプ２８の側面突出部３６に圧力をかけている前記七つ車の１つのコラムが、前記クランプを近接位置に押し戻すのに貢献する。同時に、クランプ２９はまた、側面突出部３６にかけられ、カップリングバネの圧力Ｆ２に対抗して、クランプ２８の端部３２から伝達された圧力の影響で、近接位置の方に押される。
【００８２】
クランプ２８，２９が共に近づくことにより、歯車６１に対して心棒５１が未結合になり、時間計測を示す針１３及び１４が確実に動かないようになる。
【００８３】
近接位置の方に移動することにより、図２の実線で示されるように圧力Ｆ３の影響で固定位置に再び戻る連結要素３７をクランプ２８は解放する。
【００８４】
この段階で、時間計測の結果は、本発明によるムーブメントに一体となっているタイムピースの表示手段で読み取ることができる。
【００８５】
次のステップは、時間計測を続けるか又は秒及び分カウンタをゼロに戻すかのいずれかになる。
【００８６】
時間計測を続けることは、制御レバー１７を作動することにより行い、これは七つ車２５を回転させ、かつ秒針１３及び分針１４の最初の位置がゼロではなく、最初に測定された時間計測値に一致していること以外は、始動に関連する上述の一連の記載のすべてが行われる。
【００８７】
時間計測は、一方は、カウンタがゼロの位置から始まり、他方では、ゼロに戻さずにクロノグラフ可動物の位置により異なる、２つの計測の間の休止位置に一致する中間の位置から始まる。
【００８８】
実際に、クロノグラフカウンタが休止されるとき、カウンタがゼロ位置にあっても、最初の計測から続く中間の位置にあっても、本発明によるムーブメントの配置は同じである。
【００８９】
従って、このような状態で制御レバー１７を作動すると、どちらの場合もムーブメントの同じ部品要素が同じように作動される。その結果、本発明によるムーブメントを統合しているタイムピースの制御部材を、時間を計測するために操作している使用者は、クロノグラフカウンタがゼロを指しているか否かにより違いを感じることはない。
【００９０】
この型の特徴は、従来技術におけるムーブメントにおいて制御部材にかけられる力が、時間計測をクロノグラフカウンタがゼロの状態から作動するのか、ゼロではない状態から作動するのかにより、顕著に相違したのに対し、使用者に快適さが提供されるという利点がある。与えられる付加的な力は、リセットハンマーが持ち上げられている位置に相当し、その固定位置は、従来技術におけるムーブメントでは通常下方位置である。
【００９１】
休止位置から秒及び分カウンタのリセットは、リセットレバー２への動作により行なわれることができる。このような動作により、リセットハンマー４が動かされ、従来通りに、針がその固定位置に戻るようにハンマーがクロノグラフカウンタのハート部１１及び１２を打つ。
【００９２】
リセットの動作時は、クランプ２８及び２９は近接位置にあり、クロノグラフ可動物は確実に動かないことに注意されたい。リセットハンマー４がハート部１１及び１２を打つとき、心棒５１はハート部１１の回転により回転駆動し、これは、ハンマー４により心棒５１に伝達された偶力の影響で、環状部６８の環状ボス７１にバネ６５の腕部６７が摺動することにより行なわれる。
【００９３】
さらに、当業者は、時間計測が行なわれていないときに、従来通りに分カウンタが確実に動かないようにするジャンパーを設けることができる。ジャンパーは、リセットが作動している間に分カウンタを解放するような既知の手段を挙げることができる。
【００９４】
先の記載は、特に限定のない例として記載される本発明の好ましい実施形態に相当する。特に、クロノグラフのムーブメントにおける種々の部品要素として示され、記載された形状は、限定されるものではない。
【００９５】
勿論、ここに記載された特徴は、発明の範囲を超えることなく、カム型のクロノグラフのムーブメントにおいても実行できる。同様に、当業者であれば、例えば時カウンタを含むクロノグラフのムーブメントを製造するために、このような教示を適用することに対して、困難に直面することはないであろう。
【図面の簡単な説明】
【００９６】
【図１】図１は、この発明の第１の好ましい実施形態によるクロノグラフのムーブメントの一部である簡単な上面図を示している。
【図２】図２は、図１のクロノグラフのムーブメントにおける付加的な構成が示されている、図１の上面図に類似した図である。
【図３】図３は、図２におけるIII−III線分に沿ったクロノグラフのムーブメントの簡単な横断面図を示している。
【図１】
2009517644.tif 000003
【図２】
2009517644.tif 000004
【図３】
2009517644.tif 000005
【国際調査報告】
2009517644.tif 000006
2009517644.tif 000007
2009517644.tif 000008
2009517644.tif 000009